【手続補正書】
【提出日】平成30年10月3日(2018.10.3)
【手続補正１】
【補正対象書類名】特許請求の範囲
【補正対象項目名】全文
【補正方法】変更
【補正の内容】
【特許請求の範囲】
【請求項１】
前面および背面を含む双極電極板と、
カソードアセンブリであって、
炭素材料、
セパレーター、および
カソードケージ
を含むカソードアセンブリと
を含み、前記カソードケージが、前記双極電極板の前記前面と電気的に連通する前記炭素材料を保持し、前記双極電極板および前記カソードケージが、チタン材料を含む、
双極電極。
【請求項２】
前記双極電極板の前記背面の少なくとも一部が、粗面である、請求項１に記載の双極電極。
【請求項３】
前記双極電極板の少なくとも一部および前記カソードケージの少なくとも一部が、炭化チタンコーティングを含む、請求項１または２のいずれかに記載の双極電極。
【請求項４】
前記双極電極板の前記前面が、リセス部をさらに含む、請求項１から３のいずれか一項に記載の双極電極。
【請求項５】
前記双極電極板の前記前面の前記リセス部が、前記炭素材料の少なくとも一部を収容するように構成されている、請求項４に記載の双極電極。
【請求項６】
前記炭素材料が前記リセス部と前記カソードケージの間に配置されるように、前記カソードケージが前記炭素材料を覆って配置される、請求項５に記載の双極電極。
【請求項７】
前記セパレーターが、前記炭素材料と前記カソードケージの間に配置される、請求項１から６のいずれか一項に記載の双極電極。
【請求項８】
前記カソードケージがポケット領域を含み、前記ポケット領域が複数の貫通穴を含む、請求項１から７のいずれか一項に記載の双極電極。
【請求項９】
前記複数の貫通穴が、均一な間隔を空けて配置され、交互に繰り返されるパターンで列に沿って分布しており、前記貫通穴がそれぞれ、前記複数の穴の部位に対応する複数の部位それぞれにおける、前記カソードアセンブリと、隣接する双極電極板の背面との間の間隔に基づいて計算された直径を含む、請求項８に記載の双極電極。
【請求項１０】
各穴についての前記計算された直径が、さらに、公称穴面積、および前記カソードアセンブリと前記隣接する双極電極板の前記背面との間の公称最小間隔に基づくものである、請求項９に記載の双極電極。
【請求項１１】
各部位における、前記カソードアセンブリと前記隣接する双極電極板の前記背面との間の間隔が、前記カソードアセンブリおよび前記隣接する双極電極板の前記背面それぞれについて平らな状態から測定されたデルタに基づくフィッティング方程式を使用して、前記複数の部位それぞれにおいて計算される、請求項１０に記載の双極電極。
【請求項１２】
前記セパレーターが、炭素布または炭素フェルトを含む、請求項１から１１のいずれか一項に記載の双極電極。
【請求項１３】
前記双極電極の前記炭素材料が、カーボンブラック材料を含む、請求項１から１２のいずれか一項に記載の双極電極。
【請求項１４】
前記炭素材料が、ＰＴＦＥをさらに含む、請求項１から１３のいずれか一項に記載の双極電極。
【請求項１５】
１〜５ブロックの炭素材料をさらに含む、請求項１から１４のいずれか一項に記載の双極電極。
【請求項１６】
水性ハロゲン化亜鉛電解質と、
双極電極であって、
第１のチタン材料を含む双極電極板、
炭素材料、
前記双極電極板の前面と電気的に連通する前記炭素材料を保持し、第２のチタン材料を含むカソードケージ、および
前記カソードケージの少なくとも一部と前記炭素材料との間に介在するセパレーターを含む双極電極と、
第１の双極電極板と平行し、かつそれに隣接する端子エンドプレートであって、前記端子エンドプレートが、第２のチタン材料を含み、前記端子エンドプレートが、前記第１の双極電極の前記前面に対向する内面を有し、前記内面の少なくとも一部が粗面である、端子エンドプレートと
を含み、前記双極電極および前記端子エンドプレートが、少なくとも部分的に前記電解質中に配置されている、再充電可能な双極電気化学セル。
【請求項１７】
前記セパレーターが、炭素布または炭素フェルトを含む、請求項１６に記載の電気化学セル。
【請求項１８】
前記双極電極板が、炭化チタンで少なくとも部分的にコーティングされているチタン材料を含み、前記端子エンドプレートが、炭化チタンで少なくとも部分的にコーティングされているチタン材料を含み、または前記双極電極板と前記端子エンドプレートとの双方が、炭化チタンで少なくとも部分的にコーティングされているチタン材料を含む、請求項１６または１７のいずれかに記載の電気化学セル。
【請求項１９】
前記双極電極の前記炭素材料が、カーボンブラック材料を含む、請求項１６から１８のいずれか一項に記載の電気化学セル。
【請求項２０】
前記炭素材料が、ＰＴＦＥをさらに含む、請求項１６から１９のいずれか一項に記載の電気化学セル。
【請求項２１】
１〜５ブロックの炭素材料をさらに含む、請求項１６から２０のいずれか一項に記載の電気化学セル。
【請求項２２】
前記双極電極板が、前記炭素材料の少なくとも一部を収容するように構成されているリセス部をさらに含む、請求項１６から２１のいずれか一項に記載の電気化学セル。
【請求項２３】
前記炭素材料が前記リセス部と前記カソードケージの間に配置されるように、前記カソードケージが前記炭素材料を覆って配置される、請求項２２に記載の電気化学セル。
【請求項２４】
前記水性ハロゲン化亜鉛電解質が、臭化亜鉛、塩化亜鉛、またはこれらの任意の組合せを含む、請求項１６から２３のいずれか一項に記載の電気化学セル。
【請求項２５】
前記水性ハロゲン化亜鉛電解質が、インジウム含有化合物、スズ含有化合物、鉛含有化合物、またはこれらの任意の組合せを含む、請求項１６から２４のいずれか一項に記載の電気化学セル。
【請求項２６】
前記カソードケージがポケット領域を含み、前記ポケット領域が複数の貫通穴を含み、前記複数の貫通穴が、均一な間隔を空けて配置され、交互に繰り返されるパターンで列に沿って分布している、請求項１６から２５のいずれか一項に記載の電気化学セル。
【請求項２７】
前記貫通穴がそれぞれ、前記複数の穴の部位に対応する複数の部位それぞれにおける、前記カソードアセンブリと、隣接する双極電極板の背面との間の間隔に基づく、計算された直径を含む、請求項２６に記載の電気化学セル。
【請求項２８】
各穴についての前記計算された直径が、さらに、公称穴面積、および前記カソードアセンブリと前記隣接する双極電極板の前記背面との間の公称最小間隔に基づくものである、請求項２７に記載の電気化学セル。
【請求項２９】
各部位における、前記カソードアセンブリと前記隣接する双極電極板の前記背面との間の間隔が、前記カソードアセンブリおよび前記隣接する双極電極板の前記背面それぞれについて平らな状態から測定されたデルタに基づくフィッティング方程式を使用して、前記複数の部位それぞれにおいて計算される、請求項２８に記載の電気化学セル。
【請求項３０】
複数の双極電極、
端子カソードアセンブリ、
端子アノードアセンブリ、および
水性ハロゲン化亜鉛電解質
を含み、各双極電極が、カソードケージ、炭素材料、セパレーター、および双極電極板を含み、前記端子カソードアセンブリが、第１の端子エンドプレートを含み、前記端子アノードアセンブリが、第２の端子エンドプレートを含み、前記双極電極板、前記カソードケージ、前記第１の端子エンドプレート、および前記第２の端子エンドプレートがそれぞれ、チタン材料を含み、炭化チタンで少なくとも部分的にコーティングされている、再充電可能な双極ハロゲン化亜鉛バッテリー積層体。
【請求項３１】
前記セパレーターが、炭素布または炭素フェルトを含む、請求項３０に記載のバッテリー積層体。
【請求項３２】
前記炭素材料が、カーボンブラック材料を含む、請求項３０に記載のバッテリー積層体。
【請求項３３】
各双極電極が、１〜５ブロックの前記炭素材料をさらに含む、請求項３０から３２のいずれか一項に記載のバッテリー積層体。
【請求項３４】
前記水性ハロゲン化亜鉛電解質が、臭化亜鉛、塩化亜鉛、またはこれらの任意の組合せを含む、請求項３０から３３のいずれか一項に記載のバッテリー積層体。
【請求項３５】
前記水性ハロゲン化亜鉛電解質が、インジウム含有化合物、スズ含有化合物、鉛含有化合物、またはこれらの任意の組合せを含む、請求項３４に記載のバッテリー積層体。
【請求項３６】
各双極電極板の前面が、リセス部をさらに含み、各双極電極板の前記前面の前記リセス部が、前記炭素材料の少なくとも一部を収容するように構成されており、各双極電極板の背面の少なくとも一部が粗面である、請求項３０から３４のいずれか一項に記載のバッテリー積層体。
【請求項３７】
前記炭素材料が前記リセス部と前記カソードケージの間に配置されるように、前記カソードケージが前記炭素材料を覆って配置される、請求項３６に記載のバッテリー積層体。
【請求項３８】
前記セパレーターが、前記炭素材料と前記カソードケージの間に配置される、請求項３０から３７のいずれか一項に記載のバッテリー積層体。
【請求項３９】
前記カソードケージがポケット領域を含み、前記ポケット領域が複数の貫通穴を含み、前記複数の貫通穴が、均一な間隔を空けて配置され、交互に繰り返されるパターンで列に沿って分布している、請求項３０から３８のいずれか一項に記載のバッテリー積層体。
【請求項４０】
前記貫通穴がそれぞれ、前記複数の穴の部位に対応する複数の部位それぞれにおける、前記カソードアセンブリと、隣接する双極電極板の背面との間の間隔に基づいて計算された直径を含み、各穴についての前記計算された直径が、さらに、公称穴面積、および前記カソードアセンブリと前記隣接する双極電極板の前記背面との間の公称最小間隔に基づくものであり、各部位における、前記カソードアセンブリと前記隣接する双極電極板の前記背面との間の間隔が、前記カソードアセンブリおよび前記隣接する双極電極板の前記背面それぞれについて平らな状態から測定されたデルタに基づくフィッティング方程式を使用して、前記複数の部位それぞれにおいて計算される、請求項３９に記載のバッテリー積層体。
【手続補正２】
【補正対象書類名】明細書
【補正対象項目名】０３６５
【補正方法】変更
【補正の内容】
【０３６５】
他の実施形態
前述の内容は、本発明の好ましい実施形態にのみ関するものであり、そこには、以下の特許請求の範囲およびその均等物によって定義される本発明の精神および範囲から逸脱することなく数多くの変更および修正を行ってもよいことが、明らかにされるべきである。
本発明の実施形態において、例えば以下の項目が提供される。
（項目１）
前面および背面を含む双極電極板と、
カソードアセンブリであって、
炭素材料、
セパレーター、および
カソードケージ
を含むカソードアセンブリと
を含み、前記カソードケージが、前記双極電極板の前記前面と電気的に連通する前記炭素材料を保持し、前記双極電極板および前記カソードケージが、チタン材料を含む、
双極電極。
（項目２）
前記双極電極板の前記背面の少なくとも一部が、粗面である、項目１に記載の双極電極。
（項目３）
前記双極電極板の少なくとも一部および前記カソードケージの少なくとも一部が、炭化チタンコーティングを含む、項目１または２のいずれかに記載の双極電極。
（項目４）
前記双極電極板の前記前面が、リセス部をさらに含む、項目１から３のいずれか一項に記載の双極電極。
（項目５）
前記双極電極板の前記前面の前記リセス部が、前記炭素材料の少なくとも一部を収容するように構成されている、項目４に記載の双極電極。
（項目６）
前記炭素材料が前記リセス部と前記カソードケージの間に配置されるように、前記カソードケージが前記炭素材料を覆って配置される、項目５に記載の双極電極。
（項目７）
前記セパレーターが、前記炭素材料と前記カソードケージの間に配置される、項目１から６のいずれか一項に記載の双極電極。
（項目８）
前記カソードケージがポケット領域を含み、前記ポケット領域が複数の貫通穴を含む、項目１から７のいずれか一項に記載の双極電極。
（項目９）
前記複数の貫通穴が、均一な間隔を空けて配置され、交互に繰り返されるパターンで列に沿って分布している、項目８に記載の双極電極。
（項目１０）
前記貫通穴がそれぞれ、前記複数の穴の部位に対応する複数の部位それぞれにおける、前記カソードアセンブリと、隣接する双極電極板の背面との間の間隔に基づいて計算された直径を含む、項目８または９のいずれかに記載の双極電極。
（項目１１）
各穴についての前記計算された直径が、さらに、公称穴面積、および前記カソードアセンブリと前記隣接する双極電極板の前記背面との間の公称最小間隔に基づくものである、項目１０に記載の双極電極。
（項目１２）
各部位における、前記カソードアセンブリと前記隣接する双極電極板の前記背面との間の間隔が、前記カソードアセンブリおよび前記隣接する双極電極板の前記背面それぞれについて平らな状態から測定されたデルタに基づくフィッティング方程式を使用して、前記複数の部位それぞれにおいて計算される、項目１０または１１のいずれかに記載の双極電極。
（項目１３）
前記セパレーターが、炭素布または炭素フェルトを含む、項目１から１２のいずれか一項に記載の双極電極。
（項目１４）
前記セパレーターが、炭素布または炭素フェルトを含む、項目１から１３のいずれか一項に記載の双極電極。
（項目１５）
前記双極電極の前記炭素材料が、カーボンブラック材料を含む、項目１から１４のいずれか一項に記載の双極電極。
（項目１６）
前記炭素材料が、ＰＴＦＥをさらに含む、項目１から１５のいずれか一項に記載の双極電極。
（項目１７）
１〜５ブロックの炭素材料をさらに含む、項目１から１６のいずれか一項に記載の双極電極。
（項目１８）
水性ハロゲン化亜鉛電解質と、
双極電極であって、
第１のチタン材料を含む双極電極板、
炭素材料、
前記双極電極板の前面と電気的に連通する前記炭素材料を保持し、第２のチタン材料を含むカソードケージ、および
前記カソードケージの少なくとも一部と前記炭素材料との間に介在するセパレーターを含む双極電極と、
第１の双極電極板と平行し、かつそれに隣接する端子エンドプレートであって、前記端子エンドプレートが、第２のチタン材料を含み、前記端子エンドプレートが、前記第１の双極電極の前記前面に対向する内面を有し、前記内面の少なくとも一部が粗面である、端子エンドプレートと
を含み、前記双極電極および前記端子エンドプレートが、少なくとも部分的に前記電解質中に配置されている、再充電可能な双極電気化学セル。
（項目１９）
前記セパレーターが、炭素布または炭素フェルトを含む、項目１８に記載の電気化学セル。
（項目２０）
前記双極電極板が、炭化チタンで少なくとも部分的にコーティングされているチタン材料を含む、項目１８または１９のいずれかに記載の電気化学セル。
（項目２１）
前記双極電極の前記炭素材料が、カーボンブラック材料を含む、項目１８から２０のいずれか一項に記載の電気化学セル。
（項目２２）
前記炭素材料が、ＰＴＦＥをさらに含む、項目１８から２１のいずれか一項に記載の電気化学セル。
（項目２３）
１〜５ブロックの炭素材料をさらに含む、項目１８から２２のいずれか一項に記載の電気化学セル。
（項目２４）
前記端子エンドプレートが、炭化チタンで少なくとも部分的にコーティングされているチタン材料を含む、項目１８から２３のいずれか一項に記載の電気化学セル。
（項目２５）
前記双極電極板が、リセス部をさらに含む、項目１８から２４のいずれか一項に記載の電気化学セル。
（項目２６）
前記双極電極板の前記前面の前記リセス部が、前記炭素材料の少なくとも一部を収容するように構成されている、項目２５に記載の電気化学セル。
（項目２７）
前記炭素材料が前記リセス部と前記カソードケージの間に配置されるように、前記カソードケージが前記炭素材料を覆って配置される、項目２６に記載の電気化学セル。
（項目２８）
前記水性ハロゲン化亜鉛電解質が、臭化亜鉛、塩化亜鉛、またはこれらの任意の組合せを含む、項目１８から２７のいずれか一項に記載の電気化学セル。
（項目２９）
前記水性ハロゲン化亜鉛電解質が、インジウム含有化合物、スズ含有化合物、鉛含有化合物、またはこれらの任意の組合せを含む、項目１８から２８のいずれか一項に記載の電気化学セル。
（項目３０）
前記カソードケージがポケット領域を含み、前記ポケット領域が複数の貫通穴を含む、項目１８から２９のいずれか一項に記載の電気化学セル。
（項目３１）
前記複数の貫通穴が、均一な間隔を空けて配置され、交互に繰り返されるパターンで列に沿って分布している、項目３０に記載の電気化学セル。
（項目３２）
前記貫通穴がそれぞれ、前記複数の穴の部位に対応する複数の部位それぞれにおける、前記カソードアセンブリと、隣接する双極電極板の背面との間の間隔に基づく、計算された直径を含む、項目３０または３１のいずれかに記載の電気化学セル。
（項目３３）
各穴についての前記計算された直径が、さらに、公称穴面積、および前記カソードアセンブリと前記隣接する双極電極板の前記背面との間の公称最小間隔に基づくものである、項目３２に記載の電気化学セル。
（項目３４）
各部位における、前記カソードアセンブリと前記隣接する双極電極板の前記背面との間の間隔が、前記カソードアセンブリおよび前記隣接する双極電極板の前記背面それぞれについて平らな状態から測定されたデルタに基づくフィッティング方程式を使用して、前記複数の部位それぞれにおいて計算される、項目３２または３３のいずれかに記載の電気化学セル。
（項目３５）
複数の双極電極、
端子カソードアセンブリ、
端子アノードアセンブリ、および
水性ハロゲン化亜鉛電解質
を含み、各双極電極が、カソードケージ、炭素材料、セパレーター、および双極電極板を含み、前記端子カソードアセンブリが、第１の端子エンドプレートを含み、前記端子アノードアセンブリが、第２の端子エンドプレートを含み、前記双極電極板、前記カソードケージ、前記第１の端子エンドプレート、および前記第２の端子エンドプレートがそれぞれ、チタン材料を含み、炭化チタンで少なくとも部分的にコーティングされている、再充電可能な双極ハロゲン化亜鉛バッテリー積層体。
（項目３６）
前記セパレーターが、炭素布または炭素フェルトを含む、項目３５に記載のバッテリー積層体。
（項目３７）
前記炭素材料が、カーボンブラック材料を含む、項目３５または３６のいずれかに記載のバッテリー積層体。
（項目３８）
各双極電極が、１〜５ブロックの前記炭素材料をさらに含む、項目３５から３７のいずれか一項に記載のバッテリー積層体。
（項目３９）
前記水性ハロゲン化亜鉛電解質が、臭化亜鉛、塩化亜鉛、またはこれらの任意の組合せを含む、項目３５から３８のいずれか一項に記載のバッテリー積層体。
（項目４０）
前記水性ハロゲン化亜鉛電解質が、インジウム含有化合物、スズ含有化合物、鉛含有化合物、またはこれらの任意の組合せを含む、項目３５から３９のいずれか一項に記載のバッテリー積層体。
（項目４１）
各双極電極板の前面が、リセス部をさらに含む、項目３５から４０のいずれか一項に記載のバッテリー積層体。
（項目４２）
各双極電極板の前記前面の前記リセス部が、前記炭素材料の少なくとも一部を収容するように構成されている、項目４１に記載のバッテリー積層体。
（項目４３）
前記炭素材料が前記リセス部と前記カソードケージの間に配置されるように、前記カソードケージが前記炭素材料を覆って配置される、項目４２に記載のバッテリー積層体。
（項目４４）
前記セパレーターが、前記炭素材料と前記カソードケージの間に配置される、項目３５から４３のいずれか一項に記載のバッテリー積層体。
（項目４５）
前記カソードケージがポケット領域を含み、前記ポケット領域が複数の貫通穴を含む、項目３５から４４のいずれか一項に記載のバッテリー積層体。
（項目４６）
前記複数の貫通穴が、均一な間隔を空けて配置され、交互に繰り返されるパターンで列に沿って分布している、項目４５に記載のバッテリー積層体。
（項目４７）
前記貫通穴がそれぞれ、前記複数の穴の部位に対応する複数の部位それぞれにおける、前記カソードアセンブリと、隣接する双極電極板の背面との間の間隔に基づいて計算された直径を含む、項目４５または４６のいずれかに記載のバッテリー積層体。
（項目４８）
各穴についての前記計算された直径が、さらに、公称穴面積、および前記カソードアセンブリと前記隣接する双極電極板の前記背面との間の公称最小間隔に基づくものである、項目４７に記載のバッテリー積層体。
（項目４９）
各部位における、前記カソードアセンブリと前記隣接する双極電極板の前記背面との間の間隔が、前記カソードアセンブリおよび前記隣接する双極電極板の前記背面それぞれについて平らな状態から測定されたデルタに基づくフィッティング方程式を使用して、前記複数の部位それぞれにおいて計算される、項目４７または４８のいずれかに記載のバッテリー積層体。
（項目５０）
各双極電極板の背面の少なくとも一部が粗面である、項目３５から４９のいずれか一項に記載のバッテリー積層体。